(57)【要約】      （修正有）【課題】表示デバイスの有効領域を効率的に利用できる画像表示装置を提供する。【解決手段】画像データにより表示される画像の少なくとも長手方向または短手方向を判定する方向判定手段と、前記画像データに応じた光学像を形成する表示デバイスと、前記方向判定手段により判定された前記画像の長手方向が前記表示デバイスの長手方向と一致するように前記画像データを変換して前記表示デバイスに光学像を形成する光学像制御手段を有する画像表示装置。【選択図】図１
2011158796.tif 000002
【特許請求の範囲】
【請求項１】
画像データにより表示される画像の少なくとも長手方向または短手方向のいずれかの方向を判    定する方向判定手段と、
前記画像データに応じた光学像を形成する表示デバイスと、
前記方向判定手段により判定された前記画像の長手方向が前記表示デバイスの長手方向に一致    するように前記画像データを変換して前記表示デバイスに光学像を形成する光学像制御手段と、    を有することを特徴とする画像表示装置。
【請求項２】
画像データにより表示される画像の少なくとも長手方向または短手方向のいずれか
の方向を判定する方向判定手段と、
前記画像データに応じた光学像を形成する表示デバイスと、
前記方向判定手段により判定された前記画像の長手方向が前記表示デバイスの長手方向に一致    するように前記画像データを変換して前記表示デバイスに光学像を形成する光学像制御手段と、    
前記光学像制御手段により前記表示デバイスに形成された光学像を投射する投射光学系と、を    有することを特徴とするプロジェクタ。
【請求項３】
前記方向判定手段は、前記画像のうち縦長の画像と横長の画像のいずれの割合が高
いかを判定し、
前記方向判定手段により判定された前記割合の高い画像の長手方向に一致するよう
に前記画像データを変換して前記表示デバイスに光学像を形成する光学像制御手段と、を有する    ことを特徴とする画像表示装置。
【発明の詳細な説明】
【技術分野】
【０００１】
本発明は、画像表示装置に関する。
【背景技術】
【０００２】
スクリーンに光学像を投射する画像表示装置が知られている。特許文献１参照。
【先行技術文献】
【特許文献】
【０００３】
【特許文献１】特開２００８−２８７１１４号公報
【発明の概要】
【発明が解決しようとする課題】
【０００４】
しかしながら、上記の従来技術にかかる画像表示装置では、横長の表示デバイスに対して画像を表示するので、縦長の画像を表示デバイスに表示する場合、画像の縦方向を表示デバイスの短辺方向に合わせるため、表示デバイスの表示領域を有効に利用していないという問題があった。    
【課題を解決するための手段】
【０００５】
請求項１に記載の発明による画像表示装置は、画像データにより表示される画像の少なくとも長手方向または短手方向のいずれかの方向を判定する方向判定手段と、前記画像データに応じた光学像を形成する表示デバイスと、前記方向判定手段により判定された前記画像の長手方向が前記表示デバイスの長手方向に一致するように前記画像データを変換して前記表示デバイスに光学像を形成する光学像制御手段と、を有することを特徴とする。
【０００６】
請求項２に記載の発明によるプロジェクタは、画像データにより表示される画像の少なくとも長手方向または短手方向のいずれかの方向を判定する方向判定手段と、前記画像データに応じた光学像を形成する表示デバイスと、前記方向判定手段により判定された前記画像の長手方向が前記表示デバイスの長手方向に一致するように前記画像データを変換して前記表示デバイスに光学像を形成する光学像制御手段と、前記光学像制御手段により前記表示デバイスに形成された光学像を投射する投射光学系と、を有することを特徴とする。
【０００７】
請求項３に記載の発明による画像表示装置は、前記方向判定手段は、前記画像のうち縦長の画像と横長の画像のいずれの割合が高いかを判定し、前記方向判定手段により判定された前記割合の高い画像の長手方向に一致するように前記画像データを変換して前記表示デバイスに光学像を形成する光学像制御手段と、を有することを特徴とする。
【発明の効果】
【０００８】
本発明によれば、画像表示装置の表示デバイスの表示領域を有効に利用することができる画像表示装置を得ることができる。
【図面の簡単な説明】
【０００９】
【図１】本発明の第１の実施形態にかかるプロジェクタ１００の斜視図である。
【図２】本発明の第１の実施形態にかかるプロジェクタ１００における投射部１１０            の投射光学系を示す図である。
【図３】本発明の第１の実施形態にかかるプロジェクタ１００の構成を示すブロック            図である。
【図４】本発明の第１の実施形態にかかるプロジェクタ１００の演算処理装置１２０            の動作を示すフローチャートである。
【図５】本発明の第２の実施形態にかかるプロジェクタ２００の演算処理装置１３０            の動作を示すフローチャートである。
【発明を実施するための形態】
【００１０】
以下、本発明にかかる画像表示装置について、図面を参照しながら詳細に説明する。
（第1の実施形態）
図１は本発明の第1の実施形態にかかるプロジェクタ１００が机１０２に置かれた状態を示す斜視図である。プロジェクタ１００は、金属やプラスチック等の合成樹脂からなるプロジェクタ筐体１０１を備え、プロジェクタ筐体１０１の内部には、投射部１０、ＣＰＵ等で構成される演算処理装置１２０、表示デバイスを駆動させる駆動回路等が収納されている。                  
プロジェクタ筐体１０１の上面部１００ｂには、電源スイッチ１００ｄ、各種機能の設定や調節等を行うための操作部材１００ｅ、側面部１００ｃには、不図示のＰＣ等の外部装置から画像データを入力する入力端子１０３が設けられている。
プロジェクタ筐体１０１の前面部１００ａには、光学像を投射するための投射口１００ｆが形成されている。投射部１１０を構成する投射ミラー１１６からの投射光が投射口１００ｆからプロジェクタ筐体１０１の外部へ投射され、プロジェクタ筐体１０１が設置された机１０２に光学像を投射する。
また、プロジェクタ筐体１０１の背面部には、各種端子や冷却風の通気口等が設けられている    。
なお、第１の実施形態では、プロジェクタ筐体１０１の上面部１００ｂに電源スイッチ１００ｄ、各種機能の設定や調節等を行うための操作部材１００ｅ、側面部１００ｃに外部装置から画像データを入力する入力端子１０３を設けているが、電源スイッチ１００ｄ、操作部材１００ｅ及び入力端子１０３は、上面部１００ｂまたは側面部１００ｃに替えて、例えば、プロジェクタ筐体１０１の前面部１００ａ等他の場所に設けられていてもよい。
【００１１】
図２は、本発明の第１の実施形態にかかるプロジェクタ１００の投射部１１０の光学系を示す図である。図２に示すように、投射部１１０は、ＬＥＤ光源１１１、集光レンズ１１２、偏光ビームスプリッタ１１３、ＬＣＯＳ１１４、投射レンズ１１５、投射ミラー１１６により構成されている。
【００１２】
ＬＥＤ光源１１１から射出された光は、集光レンズ１１２により平行光にされ、偏光ビームスプリッタ１１３に入射する。偏光ビームスプリッタ１１３に入射した光のうち、Ｓ偏光成分の光は、光分割面１１３ａで反射してＬＣＯＳ１１４に入射する。一方、Ｐ偏光成分の光は、光分割面１１３ａを透過し、投射部１１０の外部へ放出される。ＬＣＯＳ１１４は、入射したＳ偏光成分の光を入力端子１０３から入力した画像データに基づいて変調し、Ｐ偏光成分の光に変換する。ＬＣＯＳ１１４を反射したＰ偏光成分の光は、偏光ビームスプリッタ１１３の光分割面１１３ａを透過して投射レンズ１１５に入射し、投射ミラー１１６を介して、プロジェクタ筐体１０１が設置された机１０２に拡大投影される。
ここで、表示デバイスとしてのＬＣＯＳ１１４は、その有効表示領域は水平方向を長手方向、垂直方向を短手方向とする横長の矩形である。ＬＣＯＳは、シリコン基板上に直接液晶が載せられており、それを覆うアルミニウム層等が高い反射率を有する。
【００１３】
図３は、本発明の第１の実施形態にかかるプロジェクタ１００の構成を示すブロック図である。図３に示すように、プロジェクタ１００は、ＣＰＵ等で構成される演算処理装置１２０、入力端子１０３、ＬＣＯＳ駆動回路１２１、投射部１１０により構成されている。ここで、本発明は、外部装置から出力された画像データのデータ変換処理に特徴があるため、それに特化して説明する。
【００１４】
入力端子１０３は、外部装置としてパーソナルコンピュータやフラッシュメモリ等の記録媒体から出力される電子文書やスライド等の画像データを入力し、演算処理装置１２０に出力する。    
【００１５】
演算処理装置１２０は、入力端子１０３、ＬＣＯＳ駆動部１２１と接続され、各種制御を行う。
具体的には、入力端子１０３が外部装置から入力した電子文書やスライド等の入力画像の画像データを取得して、画像データに含まれる入力画像のページサイズ情報を読み込み、入力画像の長手方向を判定する。すなわち、入力画像の画像データに基づいて、入力画像が縦長であるか横長であるかを判定する。
次に、演算処理装置１２０は、入力画像の長手方向が表示デバイスの長手方向に一致するか否かを判定する。判定の結果、入力画像の長手方向がＬＣＯＳ１１４の長手方向に一致する場合は、当該入力画像の画像データに応じた光学像をＬＣＯＳ１１４に形成するようにＬＣＯＳ駆動回路１２１を駆動させる。一方、判定の結果、入力画像の長手方向がＬＣＯＳ１１４の長手方向に一致しない場合は、入力画像を９０度回転させる。すなわち、横長の入力画像に対して、演算処理装置１２０が入力画像の画像データの変換を行う場合、横長の入力画像を９０度回転させて縦長の入力画像に変換するように画像データを変換する。一方、縦長の入力画像に対して、演算処    理装置１２０が入力画像の画像データの変換を行う場合は、縦長の入力画像を９０度回転させて、横長の入力画像に変換する。演算処理装置１２０は、入力画像の画像データを変換した後、ＬＣＯＳ１１４に変換後の画像データに応じた光学像を形成するようにＬＣＯＳ駆動回路１２１を駆動させる。
【００１６】
ＬＣＯＳ駆動部１２１は、演算処理装置１２０から命令を受けて、入力画像の画像データまたは変換された画像データに応じた光学像を形成するようにＬＣＯＳ１１４を駆動する。
【００１７】
図４は、本発明の第１の実施形態にかかるプロジェクタ１００において、演算処理装置１２０が、外部装置から入力した入力画像の画像データに基づいてＬＣＯＳ１１４に光学像を形成する動作を説明するためのフローチャートである。
【００１８】
ステップＳ００１では、入力端子１０３を介して入力した画像データを取得する。画像データを取得すると、ステップＳ００２に進み、入力画像の画像データに基づいて入力画像の長手方向を判定し、ステップＳ００３に進む。ステップＳ００３において、入力画像の長手方向がＬＣＯＳ１１４の長手方向に一致するか否かを判定する。ここで、入力画像の長手方向がＬＣＯＳ１１４の長手方向に一致する場合は、ステップＳ００５に進み、画像データに応じた光学像をＬＣＯＳ１１４に形成するようにＬＣＯＳ駆動部１２１を駆動させる。一方、入力画像の長手方向がＬＣＯＳ１１４の長手方向に一致しない場合は、ステップＳ００４に進み、入力画像を９０度回転するように入力画像の画像データを変換する。次にステップＳ００５に進み、ステップＳ００４において変換された画像データに応じた光学像をＬＣＯＳ１１４に形成するようにＬＣＯＳ駆動部１２１を駆動させる。
【００１９】
以上説明したように、本実施形態によれば、入力画像の長手方向がＬＣＯＳ１１４の長手方向に一致するように入力画像の画像データを変換するため、縦長の入力画像が入力された場合であっても、ＬＣＯＳ１１４の有効領域を効率的に利用することができ、高解像の光学像を投射することができる。
【００２０】
なお、第１の実施形態では光源としてＬＥＤを用いたが、ＬＥＤに替えて例えば、ハロゲンランプやＨＩＤランプ、レーザでも良い。
また、第１の実施形態では、ＬＥＤ光源から射出された光を外部装置から入力した画像データに応じた光学像を形成する表示デバイスとしてＬＣＯＳを用いたが、ＬＣＯＳに替えて例えば、透過型液晶素子（ＬＣＤ）や集積回路上に可動式の微小ミラーを敷き詰めて形成したＤＭＤを用いたＤＬＰ方式の画像表示装置を用いることもできる。
また、投射ミラー１１６は、投射される光学像に対して台形補正を施すことができるように、所定の曲率を有する曲率ミラーで構成されていてもよい。
【００２１】
（第２の実施形態）
次に本発明の第２の実施形態にかかるプロジェクタ２００について説明する。ここで、プロジェクタの構成及びプロジェクタのＬＥＤ光源、表示デバイスについては第１の実施形態と同様であるため説明は省略する。
【００２２】
図５は本発明の第２の実施形態にかかるプロジェクタ２００において、演算処理装置１３０が、長手方向の異なる複数からなる入力画像の画像データに基づいてＬＣＯＳ１１４に光学像を形成する動作を説明するためのフローチャートである。
【００２３】
ステップＳ１０１では、入力端子１０３を介して入力したページサイズの異なる複数の画像データを取得する。画像データを取得すると、ステップＳ１０２に進み、入力画像の画像データに基づいて、入力画像の長手方向を判定し、判定結果から取得した入力画像のうち縦長の画像と横長の画像のどちらの割合が高いかを判定する。ステップＳ００３において、横長の画像の割合が高いと判定された場合は、ステップＳ１０５に進み、画像データに応じた光学像をＬＣＯＳ１１４に形成するようにＬＣＯＳ駆動部１２１を駆動させる。一方、縦長の画像の割合が高いと判定された場合は、ステップＳ１０４に進み、入力画像を９０度回転するように入力画像の画像データを変換する。次にステップＳ１０５に進み、ステップＳ１０４において変換された画像データに応じた光学像をＬＣＯＳ１１４に形成するようにＬＣＯＳ駆動回路１２１を駆動させる。
【００２４】
以上説明したように、本実施形態によれば、縦長の入力画像と横長の入力画像のうち割合の高い入力画像の長手方向が表示デバイスの長手方向に一致するように入力画像の画像データを変換するため、縦長の入力画像と横長の入力画像が混在するような場合であっても、表示デバイスの有効領域を効率的に利用することができる。
【００２５】
上記本発明にかかる第１及び第２の実施形態では、演算処理装置１２０及び演算処理装置１３０は、入力画像の画像データに基づいて入力画像の長手方向を判定するとしたが、入力画像の画像データに基づいて入力画像の短手方向を判定するとしてもよい。
【００２６】
上記本発明にかかる第１及び第２の実施形態では、表示デバイスは、水平方向を長手方向、垂直方向を短手方向とする横長のＬＣＯＳとしたが、横長のＬＣＯＳに替えて、水平方向を短手方向、垂直方向を長手方向とする縦長のＬＣＯＳとしてもよい。             
【００２７】
演算処理装置１２０及び演算処理装置１３０は、入力画像の画像データに基づいて入力画像の長手方向を判定するとしたが、入力画像の画像データに基づいて入力画像の短手方向を判定するとしてもよい。
【００２８】
上記本発明にかかる第１及び第２の実施形態では、入力画像の画像データに含まれるページサイズ情報に基づいて当該入力画像の長手方向を判定したが、ページサイズ情報に替えて、例えば、デジタルカメラ等で撮影した電子写真に記録されるメタデータが付加されている場合は、さらに当該メタデータも考慮して当該入力画像の長手方向を判定してもよい。
【００２９】
上記本発明にかかる第１及び第２の実施形態では、直方体のプロジェクタ筐体について述べたが、直方体のプロジェクタ筐体に替えて、例えば、円柱形や錐体形等のプロジェクタ筐体も適用可能である。また、入力画像は外部装置から出力された画像データについて述べたが、プロジェクタ筐体に記憶部を設け、当該記憶部に記憶された画像データについても適用可能である。
【符号の説明】
【００３０】
１００    プロジェクタ                  １０１    プロジェクタ筐体
１００ａ  プロジェクタ筐体の前面部      １００ｂ  プロジェクタ筐体の上面部
１００ｃ  プロジェクタ筐体の側面部      １００ｄ  電源スイッチ
１００ｅ  操作部材                      １００ｆ  投射口
１０２    机                            １０３    入力端子
１１０    投射部                        １１１    ＬＥＤ光源
１１２    集光レンズ                    １１３    偏光ビームスプリッタ
１１３ａ  光分割面                      １１４    ＬＣＯＳ
１１５    投射レンズ                    １１６    投射ミラー
１２０    演算処理装置                  １２１    ＬＣＯＳ駆動回路
２００    プロジェクタ
【図１】
2011158796.tif 000003
【図２】
2011158796.tif 000004
【図３】
2011158796.tif 000005
【図４】
2011158796.tif 000006
【図５】
2011158796.tif 000007